(57)【要約】【課題】部品点数を少なくすることができる電気電子機器収納用箱を提供すること。【解決手段】メインキャビネット２と配線用キャビネット３を備えた第一筐体５と、メインキャビネットと配線用キャビネットを備えた第二筐体６を備え、前記第一筐体と前記第二筐体が連結された電気電子機器収納用箱１であって、第二筐体の配線用キャビネットには、第一筐体側の側面に開放部３４を備え、第一筐体の配線用キャビネットに備えられた側板が、前記開放部に対応させて配置された電気電子機器収納用箱とする。【選択図】図３
2020013946.tif 000002
【特許請求の範囲】
【請求項１】
メインキャビネットと配線用キャビネットを備えた第一筐体と、
メインキャビネットと配線用キャビネットを備えた第二筐体を備え、
前記第一筐体と前記第二筐体が連結された電気電子機器収納用箱であって、
第二筐体の配線用キャビネットには、第一筐体側の側面に開放部を備え、
第一筐体の配線用キャビネットに備えられた側板が、前記開放部に対応して配置された電気電子機器収納用箱。
【請求項２】
第二筐体の配線用キャビネットの天井板と底板は、第二筐体のメインキャビネットに接続され、
前記天井板の開放端部側と、前記底板の開放端部側に、前記天井板と前記底板とをわたすフレーム部材が備えられた請求項１に記載の電気電子機器収納用箱。
【請求項３】
メインキャビネットと配線用キャビネットを備えた第三筐体を備え、
第二筐体には、第一筐体と反対側に前記第三筐体が連結されており、
第三筐体の配線用キャビネットには、第二筐体側の側面に側板を備え、
第二筐体の配線用キャビネットは、第一筐体側の側面及び第三筐体側の側面に開放部を備えた請求項１又は２に記載の電気電子機器収納用箱。
【請求項４】
側板の両面に機器を取り付け可能に機器取付部を設けた請求項１から３の何れかに記載の電気電子機器収納用箱。
【請求項５】
複数の孔部を整列配置した孔領域が側板に設けられた請求項１から４の何れかに記載の電気電子機器収納用箱。
【発明の詳細な説明】
【技術分野】
【０００１】
本発明は、電気電子機器収納用箱に関するものである。
【背景技術】
【０００２】
特許文献１に記載されているように、電気電子機器収納用箱について、メインキャビネットの前後面の一方に配線を収納するための配線用キャビネットを設けることが知られている。このような電気電子機器収納用箱は、列をなすように複数連結して使用することが多い。
【先行技術文献】
【特許文献】
【０００３】
【特許文献１】特開２０１６−２０１４１３号公報
【０００４】
この場合、隣接するキャビネットの側板が二重になってしまい、部品点数が多くなる。また、配線用キャビネットは、コンセントバーなどの機器を側板で支えるようにして用いることが多いが、隣接する配線用キャビネットの側板の双方に対してボルトなどが貫通するように孔をあけるのは手間でもある。
【発明の概要】
【発明が解決しようとする課題】
【０００５】
本件の発明者は、この点について鋭意検討することにより、解決を試みた。本発明の課題は、部品点数を少なくすることができる電気電子機器収納用箱を提供することである。
【課題を解決するための手段】
【０００６】
上記課題を解決するため、メインキャビネットと配線用キャビネットを備えた第一筐体と、メインキャビネットと配線用キャビネットを備えた第二筐体を備え、前記第一筐体と前記第二筐体が連結された電気電子機器収納用箱であって、第二筐体の配線用キャビネットには、第一筐体側の側面に開放部を備え、第一筐体の配線用キャビネットに備えられた側板が、前記開放部に対応して配置された電気電子機器収納用箱とする。
【０００７】
また、第二筐体の配線用キャビネットの天井板と底板は、第二筐体のメインキャビネットに接続され、前記天井板の開放端部側と、前記底板の開放端部側に、前記天井板と前記底板とをわたすフレーム部材が備えられた構成とすることが好ましい。
【０００８】
また、メインキャビネットと配線用キャビネットを備えた第三筐体を備え、第二筐体には、第一筐体と反対側に前記第三筐体が連結されており、第三筐体の配線用キャビネットには、第二筐体側の側面に側板を備え、第二筐体の配線用キャビネットは、第一筐体側の側面及び第三筐体側の側面に開放部を備えた構成とすることが好ましい。
【０００９】
また、側板の両面に機器を取り付け可能に機器取付部を設けた構成とすることが好ましい。
【００１０】
また、複数の孔部を整列配置した孔領域が側板に設けられた構成とすることが好ましい。
【発明の効果】
【００１１】
本発明では、第二筐体の配線用キャビネットの側板をなくすため、部品点数を少なくすることができる電気電子機器収納用箱を提供することができる。
【図面の簡単な説明】
【００１２】
【図１】電気電子機器収納用箱の斜視図である。
【図２】図１とは異なる方向から見た電気電子機器収納用箱の斜視図である。
【図３】電気電子機器収納用箱を第一筐体と第二筐体と第三筐体に分解した分解斜視図である。
【図４】電気電子機器収納用箱の内部を上方から見た状態の概略図である。
【図５】筐体を、両側面に側板を備えた配線用キャビネットと、メインキャビネットに分解した分解斜視図である。
【図６】筐体を、両側面に開放部を備えた（側板を備えていない）配線用キャビネットと、メインキャビネットに分解した分解斜視図である。
【図７】筐体を、片側面にのみ側板を備えた配線用キャビネットと、メインキャビネットに分解した分解斜視図である。
【図８】側板の両面にコンセントバーを取り付ける前の状態を示した斜視図である。
【図９】側板の機器取付部周りとコンセントバーの引掛け部周りを示した斜視図である。
【図１０】側板の両面にコンセントバーを取り付けた状態を示した側面図である。
【図１１】図１０に一点鎖線の丸を付した部分周りについて、拡大して示した図である。
【図１２】側板の斜視図と側板の断面図を示した図である。
【図１３】フレーム部材の側面図とフレーム部材の断面図を示した図である。
【発明を実施するための形態】
【００１３】
以下に発明を実施するための形態を示す。図１から図３に示されていることから理解されるように、本実施形態の電気電子機器収納用箱１は、メインキャビネット２と配線用キャビネット３を備えた第一筐体５と、メインキャビネット２と配線用キャビネット３を備えた第二筐体６を備え、前記第一筐体５と前記第二筐体６が連結された電気電子機器収納用箱１であって、第二筐体６の配線用キャビネット３には、第一筐体５側の側面に開放部３４を備え、第一筐体５の配線用キャビネット３に備えられた側板３３が、前記開放部３４に対応して配置されている。このため、部品点数を少なくすることができる電気電子機器収納用箱１を提供することができる。
【００１４】
図１から図４に示した実施形態の電気電子機器収納用箱１は、第一筐体５と第二筐体６と第三筐体７を組み合わせることで構成している。各筐体はそれぞれメインキャビネット２と配線用キャビネット３を備えている。メインキャビネット２は、サーバーなどのユニット９９が配置されるものである。配線用キャビネット３は、メインキャビネット２に配置されるユニット９９などに接続される配線を寄せ集めるためのスペースとして使用されるものであり、メインキャビネット２の内部が配線で煩雑な状態となることを回避するために設けられる。なお、メインキャビネット２と配線用キャビネット３は、対向する面が各々板で塞がれておらず、メインキャビネット２と配線用キャビネット３が連結された状態では、一体的な一つの空間を筐体に形成する。
【００１５】
図１から図４に示した第一筐体５の配線用キャビネット３と第三筐体７の配線用キャビネット３は、図５に示すように、両側面に側板３３を備えている。一方、第二筐体６の配線用キャビネット３は、図６に示すように、両側面ともに側板３３を備えていない。つまりは、両側面のそれぞれに開放部３４を備えている。このため、第一筐体５の配線用キャビネット３と第二筐体６の配線用キャビネット３は一枚の側板３３で仕切られていることになり、第二筐体６の配線用キャビネット３と第三筐体７の配線用キャビネット３も一枚の側板３３で仕切られていることになる。なお、各々の筐体の配線用キャビネット３は、その天井板３１がメインキャビネット２に備えられた天井板固定部１８と結合するように固定される。
【００１６】
つまりは、実施形態の電気電子機器収納用箱１は、メインキャビネット２と配線用キャビネット３を備えた第一筐体５と、メインキャビネット２と配線用キャビネット３を備えた第二筐体６と、メインキャビネット２と配線用キャビネット３を備えた第三筐体７を備えている。また、第一筐体５と第二筐体６が連結され、第二筐体６には、第一筐体５と反対側に第三筐体７が連結されている。第二筐体６の配線用キャビネット３には、第一筐体５側の側面に開放部３４を備え、第一筐体５の配線用キャビネット３に備えられた側板３３が、開放部３４に対応させて配置されている。また、第三筐体７の配線用キャビネット３には、第二筐体６側の側面に側板３３を備え、第二筐体６の配線用キャビネット３は、第一筐体５側の側面及び第三筐体７側の側面に開放部３４を備えている。このため、第一筐体５の配線用キャビネット３と第二筐体６の配線用キャビネット３を仕切る側板３３が二枚重ねとなることを回避できる。同様に、第三筐体７の配線用キャビネット３と第二筐体６の配線用キャビネット３を仕切る側板３３が二枚重ねとなることを回避できる。ここで、開放部３４に対応させて配置する構造として、全体を塞ぐように配置するものであっても良いし、一部を塞ぎ、一部を開放するように形成するものであっても良い。
【００１７】
実施形態の電気電子機器収納用箱１は、配線用キャビネット３に天井板３１と底板３２を備えている。勿論、側板３３と対向する開放部３４を備える配線用キャビネット３にも天井板３１と底板３２を備えている。開放部３４を備える配線用キャビネット３については、天井板３１の開放端部側と、前記底板３２の開放端部側に、前記天井板３１と前記底板３２とをわたすフレーム部材３５を備えている。また、このフレーム部材３５と反対側についてはメインキャビネット２に接続されている。これにより、開放部３４を備えても天井板３１が垂れ下がりにくいようにすることができる。なお、開放部３４は、図３及び図４に示すことから理解されるように、メインキャビネット２のフレーム部材２ａと、配線用キャビネット３の天井板３１、底板３２、フレーム部材３５で囲まれた空間に形成されるものであり、メインキャビネット２の一部が開放部３４を形成するための部材として作用するものである。
【００１８】
実施形態においては、第二筐体６の配線用キャビネット３が、開放部３４を備える配線用キャビネット３である。この第二筐体６の配線用キャビネット３の天井板３１と底板３２は、第二筐体６のメインキャビネット２に接続されている。また、天井板３１の開放端部側と、底板３２の開放端部側に、天井板３１と底板３２とをわたすフレーム部材３５が備えられている。このため、第二筐体６の配線用キャビネット３の天井板３１は、メインキャビネット２側については、メインキャビネット２に支えられ、開放端部側はフレーム部材３５により支えられる。したがって、天井板３１が垂れ下がることが抑制される。
【００１９】
図６に示す例においては、側板３３と対向する開放部３４を備える配線用キャビネット３については、底板３２及び天井板３１の開放端部側に、底板３２と天井板３１を接続するフレーム部材３５が設けられている。このフレーム部材３５は二本設けられており、天井板３１の開放端部側の二つの角を支えている。
【００２０】
なお、図６に示す例では、側板３３と対向する開放部３４を備える配線用キャビネット３は、その両側面側に開放部３４を備えているが、どちらか片方側だけに開放部３４を設けるようにしても良い。図７に示す例では、配線用キャビネット３の一方側の側面には側板３３が設けられ、他方側の側面には開放部３４を備えている。図７に示す例では、配線用キャビネット３の天井板３１と底板３２は、側板３３とフレーム部材３５などにより支えている。より具体的には、天井板３１は、配線用キャビネット３の一方側は側板３３により支えられ、他方側の開放端部側はフレーム部材３５により支えられている。なお、図７に示す例の配線用キャビネット３でも、天井板３１は、他方側のメインキャビネット２側はメインキャビネット２に固定されるため、天井板３１のメインキャビネット２側はメインキャビネット２に支えられる。
【００２１】
図８及び図９に示すことから理解されるように、実施形態の側板３３は、機器を取り付けるために用いられる機器取付部１１として孔が設けられている。この孔は、角丸長方形の長手方向の一端側に、角丸長方形の幅よりも長い直径を持つ円形が接続されたような形状の孔があけられている。この孔は、いわゆるだるま孔であり、実施形態では角丸長方形状の部分が下側に位置し、円形状の部分が上側に位置するような向きで孔があけられている。この機器取付部１１は、側板３３を貫通する孔であるので、側板３３の両面に機器を取り付けることができる。したがって、この側板３３の一方側の筐体に取り付ける機器も、他方側の筐体に取り付ける機器も、この孔を用いて側板３３に取り付けることができる。
【００２２】
図８及び図９に示す例では、この孔状の機器取付部１１に対して、先端が円盤状に広がった引掛け部９２を備えた機器を取り付けるものとしている。具体的には、引掛け部９２を孔状の機器取付部１１に引っ掛けることで、機器を側板３３に取り付ける。例えば、図８に示す例においては、側板３３の上半分には、横方向に５個の孔が並んだ部分が上下に二列ある。この上側の孔を一方の筐体側に配置される機器を固定するために用いた場合、下側の孔は他方の筐体側に配置される機器を固定するために用いる。図１０及び図１１に示す例では、引掛け部９２を備えたコンセントバー９１を側板３３の両側に取り付けている。
【００２３】
図１１に示すように、一方の筐体側に配置される機器の引掛け部９２が他方の筐体側に配置される機器に当たる状態となると、機器のガタツキを抑制することができる。図８から図１１に示す例においては、一方の筐体側に配置される機器の上側に配置された引掛け部９２と下側に配置された引掛け部９２の間の位置に、他方の筐体側に配置される機器の引掛け部９２の一部が配置されるようになる。このため、ガタツキの抑制がしやすいものとなる。
【００２４】
また、図８に示すように、実施形態の側板３３においては、複数の孔部１３を整列配置した孔領域１４を備えている。実施形態の孔領域１４は水平方向と垂直方向の双方に孔部１３が並ぶように設けられており、矩形状となっている。実施形態の孔部１３は四角形状であり、孔領域１４は格子状に形成されている。実施形態の側板３３は、このような孔領域１４を複数備えている。
【００２５】
この孔領域１４は、配線を取り付けるために用いる配線取付部として利用できる。例えば、孔領域１４の孔部１３に結束バンドを巻き付けて、配線を側板３３に取り付けることができる。図８などに示すことから理解されるように、実施形態では、機器取付部１１と隣接するように配線取付部を設けている。このようにすれば、機器の取付個所と配線の取付個所を区分けさせることができる。また、機器の取付個所と配線の取付個所を隣接させることができるため、機器に繋がる配線が散乱することを抑制しやすくなる。
【００２６】
ところで、側板３３の開放端部側には、扉８１の蝶番８２や扉８１のハンドル８３の固定部などを取り付けることができる。同様に、側板３３が設けられていない側の側面に取り付けたフレーム部材３５には、扉８１の蝶番８２や扉８１のハンドル８３の固定部などを取り付けることができる。図１２及び図１３に示すことから理解されるように、実施形態においては、側板３３の開放端部側に設けた折曲構造（図１２の破線の丸で囲った部分を参照）と、フレーム部材３５に設けた折曲構造が同じとなるように構成している。このため、側板３３を用いる場合であってもフレーム部材３５を用いる場合であっても、扉８１の蝶番８２や扉８１のハンドル８３の固定部などの取付方法を、同様にすることができる。また、フレーム部材３５は隣接する側板３３とボルトなどで連結するが、この際の側板３３とフレーム部材３５の連結も容易となる。
【００２７】
実施形態においては、配線用キャビネット３だけではなく、メインキャビネット２に関しても、隣り合う筐体間で、側板が隣接しないように構成している。このようにすると、より部品点数を削減することができる。図３に示す例においては、第一筐体５と第二筐体６のメインキャビネット２は、一方の側面側にのみ側板を設けており、他方側は開放されている。また、第三筐体７のメインキャビネット２に関しては両側面について側板を備えた構成としている。
【００２８】
なお、配線用キャビネット３に関してもメインキャビネット２に関しても、電気電子機器収納用箱１の外表面となる側面については、側板を備えた構成とする。このようにすることで、電気電子機器収納用箱１の見栄えを確保できる。
【００２９】
以上、実施形態を例に挙げて本発明について説明してきたが、本発明は上記実施形態に限定されることはなく、各種の態様とすることが可能である。例えば、第一筐体と第二筐体のみを組み合わせることで電気電子機器収納用箱としても良いし、四以上の筐体を組み合わせて電気電子機器収納用箱としても良い。
【００３０】
側板に取り付ける機器は、コンセントバーに限る必要は無い。例えば、配線保持部材やＨＵＢなどを側板に取り付けても良い。
【００３１】
機器の取付方法は、機器取付部を用いることに限る必要は無い。例えば、フックなどの係止部材を用いても良い。また、結束バンドなどを用いても良い。
【００３２】
配線用キャビネットの基本構造は天井板と底板に側板及び又はフレーム部材を取り付けた構造であるが、更に扉を設けても良いし、設けなくても良い。また、扉は、メインキャビネットと反対側の開口前面を覆うものであっても、一部を覆うものであっても良い。また、一つの配線用キャビネットに取り付けられる扉の枚数は１枚でも複数枚でも構わない。
【００３３】
配線用キャビネットは、メインキャビネットの正面側に取り付けても背面側に取り付けても、その両方に取り付けても構わない。
【符号の説明】
【００３４】
１  電気電子機器収納用箱
２  メインキャビネット
３  配線用キャビネット
５  第一筐体
６  第二筐体
７  第三筐体
１１  機器取付部
１３  孔部
１４  孔領域
３１  天井板
３２  底板
３３  側板
３４  開放部
３５  フレーム部材
【図１】
2020013946.tif 000003
【図２】
2020013946.tif 000004
【図３】
2020013946.tif 000005
【図４】
2020013946.tif 000006
【図５】
2020013946.tif 000007
【図６】
2020013946.tif 000008
【図７】
2020013946.tif 000009
【図８】
2020013946.tif 000010
【図９】
2020013946.tif 000011
【図１０】
2020013946.tif 000012
【図１１】
2020013946.tif 000013
【図１２】
2020013946.tif 000014
【図１３】
2020013946.tif 000015